【手続補正書】
【提出日】平成16年5月24日(2004.5.24)
【手続補正１】
【補正対象書類名】明細書
【補正対象項目名】特許請求の範囲
【補正方法】変更
【補正の内容】
【特許請求の範囲】
【請求項１】
第１の基板と、前記第１の基板に対して略平行に対向する第２の基板と、前記第１の基板の、前記第２の基板に面する第１の主面上に形成された第１の電極パターンと、前記第１の主面上に、前記第１の電極パターンを覆うように形成された第１の分子配向膜と、前記第２の基板の、前記第１の基板に面する第２の主面上に形成された第２の電極パターンと、前記第２の主面上に、前記第２の電極パターンを覆うように形成された第２の分子配向膜と、前記第１の分子配向膜と前記第２の分子配向膜との間に封入され、前記第１および第２の電極パターンの間に駆動電圧が印加されていない非駆動状態で前記第１の主面に垂直配向あるいは垂直傾斜配向し、駆動状態では液晶分子が配向する方位が異なる配向分割構成であり、負の誘電率異方性を有する液晶分子を少なくとも含む複数の種類の液晶組成物で構成される液晶混合物からなる液晶層とよりなる液晶パネルと、
前記液晶パネルの第１の側に配設された第１の偏光要素と、
前記液晶パネルの第２の側に配設された第２の偏光要素とよりなる液晶表示装置において、
前記液晶分子は、−３．８より大で約−２．０以下の範囲の誘電率異方性を有することを特徴とする液晶表示装置。
【請求項２】
前記液晶混合物は、−３．８より大で約−３．０以下の範囲の誘電率異方性を有することを特徴とする請求項１記載の液晶表示装置。
【請求項３】
前記液晶混合物は、−３．８より大で約−３．５以下の範囲の誘電率異方性を有することを特徴とする請求項１記載の液晶表示装置。
【請求項４】
前記液晶混合物は、長軸方向の誘電率が、約３．０と約４．２の間にあることを特徴とする請求項１記載の液晶表示装置。
【請求項５】
前記液晶層は、前記非駆動状態における誘電率が約３．０と約４．２の間にあり、前記第１および第２の電極パターンの間に駆動電圧を印加した駆動状態における誘電率が約４．０と約７．０との間にあることを特徴とする請求項１から４のうち、いずれか一項記載の液晶表示装置。
【請求項６】
前記液晶層は、液晶相から液相に転移する転移点の温度が少なくとも７１°Ｃ以上であり、−２０°Ｃから７０°Ｃの温度範囲において、液晶がネマチック相を示すことを特徴とする請求項１〜５のうち、いずれか一項記載の液晶表示装置。
【請求項７】
前記液晶層は、約０．２μｍと約０．４μｍの間のリタデーションを有することを特徴とする請求項１〜６のうち、いずれか一項記載の液晶表示装置。
【請求項８】
第１の基板と、前記第１の基板に対して略平行に対向する第２の基板と、前記第１の基板の、前記第２の基板に面する第１の主面上に形成された第１の電極パターンと、前記第１の主面上に、前記第１の電極パターンを覆うように形成された第１の分子配向膜と、前記第２の基板の、前記第１の基板に面する第２の主面上に形成された第２の電極パターンと、前記第２の主面上に、前記第２の電極パターンを覆うように形成された第２の分子配向膜と、前記第１の分子配向膜と前記第２の分子配向膜との間に封入された、負の誘電率異方性を有する液晶分子を少なくとも含む複数の種類の液晶組成物で構成される液晶混合物からなる液晶層とよりなる液晶パネルと、
前記液晶パネルの第１の側に配設された第１の偏光要素と、
前記液晶パネルの第２の側に配設された第２の偏光要素とよりなる液晶表示装置において、
前記液晶分子は、−３．８より大で約−２．０以下の範囲の誘電率異方性を有することを特徴とする液晶表示装置。
【請求項９】
前記液晶混合物は、−３．８より大で約−３．０以下の範囲の誘電率異方性を有することを特徴とする請求項８記載の液晶表示装置。
【請求項１０】
前記液晶混合物は、−３．８より大で約−３．５以下の範囲の誘電率異方性を有することを特徴とする請求項８または９記載の液晶表示装置。
【手続補正２】
【補正対象書類名】明細書
【補正対象項目名】００１８
【補正方法】変更
【補正の内容】
【００１８】
【課題を解決するための手段】
本発明は、上記の課題を、
請求項１に記載したように、
第１の基板と、前記第１の基板に対して略平行に対向する第２の基板と、前記第１の基板の、前記第２の基板に面する第１の主面上に形成された第１の電極パターンと、前記第１の主面上に、前記第１の電極パターンを覆うように形成された第１の分子配向膜と、前記第２の基板の、前記第１の基板に面する第２の主面上に形成された第２の電極パターンと、前記第２の主面上に、前記第２の電極パターンを覆うように形成された第２の分子配向膜と、前記第１の分子配向膜と前記第２の分子配向膜との間に封入され、前記第１および第２の電極パターンの間に駆動電圧が印加されていない非駆動状態で前記第１の主面に垂直配向あるいは垂直傾斜配向し、駆動状態では液晶分子が配向する方位が異なる配向分割構成であり、負の誘電率異方性を有する液晶分子を少なくとも含む複数の種類の液晶組成物で構成される液晶混合物からなる液晶層とよりなる液晶パネルと、
前記液晶パネルの第１の側に配設された第１の偏光要素と、
前記液晶パネルの第２の側に配設された第２の偏光要素とよりなる液晶表示装置において、
前記液晶分子は、−３．８より大で約−２．０以下の範囲の誘電率異方性を有することを特徴とする液晶表示装置により、または
請求項２に記載したように、
前記液晶混合物は、−３．８より大で約−３．０以下の範囲の誘電率異方性を有することを特徴とする請求項１記載の液晶表示装置により、または
請求項３に記載したように、
前記液晶混合物は、−３．８より大で約−３．５以下の範囲の誘電率異方性を有することを特徴とする請求項１記載の液晶表示装置により、または
請求項４に記載したように、
前記液晶混合物は、長軸方向の誘電率が、約３．０と約４．２の間にあることを特徴とする請求項１記載の液晶表示装置により、または
請求項５に記載したように、
前記液晶層は、前記非駆動状態における誘電率が約３．０と約４．２の間にあり、前記第１および第２の電極パターンの間に駆動電圧を印加した駆動状態における誘電率が約４．０と約７．０との間にあることを特徴とする請求項１から４のうち、いずれか一項記載の液晶表示装置により、または
請求項６に記載したように、
前記液晶層は、液晶相から液相に転移する転移点の温度が少なくとも７１°Ｃ以上であり、−２０°Ｃから７０°Ｃの温度範囲において、液晶がネマチック相を示すことを特徴とする請求項１〜５のうち、いずれか一項記載の液晶表示装置により、または
請求項７に記載したように、
前記液晶層は、約０．２μｍと約０．４μｍの間のリタデーションを有することを特徴とする請求項１〜６のうち、いずれか一項記載の液晶表示装置により、または
請求項８に記載したように、
第１の基板と、前記第１の基板に対して略平行に対向する第２の基板と、前記第１の基板の、前記第２の基板に面する第１の主面上に形成された第１の電極パターンと、前記第１の主面上に、前記第１の電極パターンを覆うように形成された第１の分子配向膜と、前記第２の基板の、前記第１の基板に面する第２の主面上に形成された第２の電極パターンと、前記第２の主面上に、前記第２の電極パターンを覆うように形成された第２の分子配向膜と、前記第１の分子配向膜と前記第２の分子配向膜との間に封入された、負の誘電率異方性を有する液晶分子を少なくとも含む複数の種類の液晶組成物で構成される液晶混合物からなる液晶層とよりなる液晶パネルと、
前記液晶パネルの第１の側に配設された第１の偏光要素と、
前記液晶パネルの第２の側に配設された第２の偏光要素とよりなる液晶表示装置において、
前記液晶分子は、−３．８より大で約−２．０以下の範囲の誘電率異方性を有することを特徴とする液晶表示装置により、または
請求項９に記載したように、
前記液晶混合物は、−３．８より大で約−３．０以下の範囲の誘電率異方性を有することを特徴とする請求項９記載の液晶表示装置により、または
請求項１１に記載したように、
前記液晶分子は、−３．８より大で約−３．５以下の範囲の誘電率異方性を有することを特徴とする請求項９または１０記載の液晶表示装置により、解決する。